(57)【特許請求の範囲】
【請求項１】
アナログ表示部分とデジタル表示部分と有する複合表示式電子時計において、
アナログ表示部分（５０２）はアナログ時計機構モジュール（１００）を含んでおり、
前記アナログ時計機構モジュール（１００）は、
モジュールの基板を構成する地板（１０２）と、
地板（１０２）に組み込まれたステップモータ（１０４）と、
地板（１０２）に組み込まれ、ステップモータ（１０４）の作動に基づいて回転する輪列（１１２、１５０）と、
輪列（１１２、１５０）の少なくとも一部を回転可能に支持するための輪列受（１２４）と、
地板（１０２）に組み込まれ、輪列（１１２、１５０）の少なくとも一部の回転角度を修正するための切換機構（１３０）と、
切換機構（１３０）の作動に基づいて作動し、ステップモータ（１０４）の作動を停止させるためのリセットレバー（１４０）とを備え、
ステップモータ（１０４）が、ステータ（１０６）と、コイルブロック（１０８）と、ロータ（１１０）とを含み、
ステップモータ（１０４）を作動させるステップモータ駆動信号を入力するための２つの入力パターン（１４２ａ、１４２ｂ）と、リセットレバー（１４０）の作動に基づいて、ステップモータ（１０４）の作動をリセットさせるリセット信号を出力するためのリセットパターン（１４２ｃ）とを有するリード基板（１４２）がコイルブロック（１０８）に取付けられており、
前記２つの入力パターン（１４２ａ、１４２ｂ）は、コイルブロック（１０８）のコイルワイヤ（１０８ｗ）の両端部（１０８ｗ１、１０８ｗ２）にそれぞれ配線されており、前記リセットパターン（１４２ｃ）は、リセットレバー（１４０）が作動したときにリセットレバー（１４０）と導通するように構成されており、
前記アナログ表示部分（５０２）は前記輪列の回転に基づいて時刻をアナログ式で表示するように構成されており、
デジタル表示部分（５０４）は、時刻及び又は時間に関する情報をデジタル式で表示するための液晶パネル（５１０）を含み、
時刻及び又は時間に関する情報を計数する時刻情報計数手段（６３０）と、この時刻情報計数回路（６３０）が計数した計数結果に基づいて前記アナログ表示部分（５０２）及び前記デジタル表示部分（５０４）を動作させるための駆動手段（６３２、６３４）を含む回路ブロック（５３０）を備え、
前記アナログ表示部分（５０２）と前記デジタル表示部分（５０４）が重ならないように構成されている、
ことを特徴とする複合表示式電子時計。
【請求項２】
アナログ表示部分（５０２）の中心を通る垂直軸線（ＡＶ）と、デジタル表示部分（５０４）の中心を通る垂直軸線（ＤＶ）が整列した状態で、アナログ表示部分（５０２）とデジタル表示部分（５０４）が縦方向に並んで配置されていることを特徴とする請求項１に記載の複合表示式電子時計。
【請求項３】
アナログ時計機構モジュール（１００）及び液晶パネル（５１０）はパネル枠（５１２）に取付けられていることを特徴とする請求項１又は請求項２に記載の複合表示式電子時計。
【請求項４】
回路ブロック（５３０）は、パネル枠（５１２）の裏ぶた側に配置されていることを特徴とする請求項１から請求項３のいずれか１項に記載の複合表示式電子時計。
【請求項５】
回路ブロック（５３０）の裏ぶた側に配置された電池枠（５２０）と、この電池枠（５２０）に組み込まれた電池（５４２、５４４）とを備えていることを特徴とする請求項１から請求項４のいずれか１項に記載の複合表示式電子時計。
【請求項６】
液晶パネル（５１０）の裏ぶた側に配置されたＥＬパネル（５６０）を備えていることを特徴とする請求項１から請求項５のいずれか１項に記載の複合表示式電子時計。
【請求項７】
回路ブロック（５３０）に設けられた、スイッチ作動を入力するためのスイッチパターンと導通するように構成された複数のスイッチ端子（６５０、６５２、６５４、６５６、６５８）を有するスイッチばね（５４０）を備え、このスイッチ端子のうちの１つは、それが作動したときに、他のスイッチ端子のうちのいずれか１つと同じ機能を行うように構成されていることを特徴とする請求項１から請求項６のいずれか１項に記載の複合表示式電子時計。
【発明の詳細な説明】
【０００１】
【発明の属する技術分野】
本発明は、一般的には、時刻をアナログ式で表示するアナログ表示部分と、時刻に関する情報をデジタル式で表示するデジタル表示部分とを備えた複合表示式電子時計に関する。本発明は、特に、デジタル表示部分とアナログ表示部分とを縦方向に整列させて配置することにより、それぞれの表示部分による表示内容が非常に見やすい複合表示式電子時計に関する。
【０００２】
【用語の定義】
ここで、本明細書で用いられている用語の定義について説明する。
「ムーブメント」とは、時計の機械的な構造部分及び作動部分を含む「機械体」を意味する。必要に応じて、「ムーブメント」に文字板及び指針を取付けたものを、「指針付きムーブメント」と称する。
「コンプリート」とは、「指針付きムーブメント」を時計の外装ケースに組み込んだ「完成体」を意味する。一般的には、「コンプリート」には、ばね棒及びバンドが含まれていない。
「ムーブメント」において、文字板が配置される方の側、及び、液晶パネルにより表示が読める方の側を、「ムーブメント」の「ガラス側」と称する。同様に、「コンプリート」において、表示が読める方の側を、「コンプリート」の「ガラス側」と称する。なぜなら、通常の外装ケースでは、表示が読める方の側に「ガラス」が配置されているからである。
【０００３】
これに対して、「ムーブメント」において、「ガラス側」と反対側を「裏ぶた側」と称する。なぜなら、通常の裏ぶたを有する外装ケースでは、「ガラス側」と反対側に「裏ぶた」が配置されているからである。
「１２時側」とは、アナログ式時計において、文字板の１２時に対応する目盛が配置されている方の側を示す。「１２時方向」とは、アナログ式時計において、指針の回転中心から「１２時側」に向かう方向を示す。
「３時側」とは、アナログ式時計において、文字板の３時に対応する目盛が配置されている方の側を示す。「３時方向」とは、アナログ式時計において、指針の回転中心から「３時側」に向かう方向を示す。
「６時側」とは、アナログ式時計において、文字板の６時に対応する目盛が配置されている方の側を示す。「６時方向」とは、アナログ式時計において、指針の回転中心から「６時側」に向かう方向を示す。
「９時側」とは、アナログ式時計において、文字板の９時に対応する目盛が配置されている方の側を示す。「９時方向」とは、アナログ式時計において、指針の回転中心から「９時側」に向かう方向を示す。
【０００４】
「パネル上側」とは、デジタル式時計において、液晶パネルに表示されている文字の上方の側を示す。「パネル上方向」とは、デジタル式時計において、液晶パネルの中心から「パネル上側」に向かう方向を示す。
「パネル右側」とは、デジタル式時計において、液晶パネルに表示されている文字の右方の側を示す。「パネル右方向」とは、デジタル式時計において、液晶パネルの中心から「パネル右側」に向かう方向を示す。
【０００５】
「パネル下側」とは、デジタル式時計において、液晶パネルに表示されている文字の下方の側を示す。「パネル下方向」とは、デジタル式時計において、液晶パネルの中心から「パネル下側」に向かう方向を示す。
「パネル左側」とは、デジタル式時計において、液晶パネルに表示されている文字の左方の側を示す。「パネル左方向」とは、デジタル式時計において、液晶パネルの中心から「パネル左側」に向かう方向を示す。
【０００６】
「アナログ表示部分の垂直軸線」とは、アナログ式時計において、指針の回転中心から「１２時方向」及び「６時方向」に延びる軸線を示す。「アナログ表示部分の垂直軸線」を「ＡＶ」と称する。
「アナログ表示部分の水平軸線」とは、アナログ式時計において、指針の回転中心から「３時方向」及び「９時方向」に延びる軸線を示す。「アナログ表示部分の水平軸線」を「ＡＨ」と称する。
「デジタル表示部分の垂直軸線」とは、デジタル式時計において、液晶パネルの中心から「パネル上方向」及び「パネル下方向」に延びる軸線を示す。「デジタル表示部分の垂直軸線」を「ＤＶ」と称する。
「デジタル表示部分の水平軸線」とは、デジタル式時計において、液晶パネルの中心から「パネル右方向」及び「パネル左方向」に延びる軸線を示す。「デジタル表示部分の水平軸線」を「ＤＨ」と称する。
【０００７】
【従来の技術】
従来の複合表示式電子時計においては、アナログ表示部分の「１２時側」又は「３時側」又は「６時側」において、文字板に窓部分を設け、この窓部分内にアナログ表示部分よりはるかに小さい寸法で構成された液晶パネルを配置していた。
また、従来の他の複合表示式電子時計においては、液晶パネルよりはるかに小さい寸法でアナログ表示部分を形成していた。
また、従来の他の複合表示式電子時計においては、アナログ表示部分に重ねて、透過型の液晶パネルを配置していた。
【０００８】
【発明が解決しようとする課題】
しかし、従来の複合表示式電子時計では、下記の課題があった。
（１）デジタル表示部分がアナログ表示部分よりはるかに小さい寸法で構成された複合表示式電子時計では、デジタル式で表示している表示内容が見にくかった。
（２）アナログ表示部分とデジタル表示部分が重なっている複合表示式電子時計では、アナログ表示部分に含まれる指針がデジタル表示部分が表示している文字の上に重なる場合がある。その結果、デジタル表示部分により表示した文字が読みにくくなることがあった。
（３）複合表示式電子時計を構成する部品の形状が複雑であった。また、その部品の製造工程が長く、時計の組立が困難であった。
（４）アナログ表示部分とデジタル表示部分が重なって配置されている構造では、時計の厚さが厚くなっていた。
【０００９】
【発明の目的】
そこで、従来のこのような課題を解決するため、本発明の目的は以下に記載する点にある。
（１）アナログ表示部分の表示内容が見やすく、しかも、デジタル表示部分の表示内容も見やすい複合表示式電子時計を提供する。
（２）時計を構成する部品の形状が簡潔であって、時計部品の製造工程が短く、時計の組立が簡単な複合表示式電子時計を提供する。
（３）アナログ表示部分とデジタル表示部分が重ならない構造を有する、薄い複合表示式電子時計を提供する。
【００１０】
【課題を解決するための手段】
上記課題を解決するために、本発明は、アナログ表示部分とデジタル表示部分と有する複合表示式電子時計において、アナログ表示部分はアナログ時計機構モジュールを含むように構成した。このアナログ時計機構モジュールは、モジュールの基板を構成する地板と、地板に組み込まれたステップモータと、地板に組み込まれ、ステップモータの作動に基づいて回転する輪列と、輪列の少なくとも一部を回転可能に支持するための輪列受と、地板に組み込まれ、輪列の少なくとも一部の回転角度を修正するための切換機構と、切換機構の作動に基づいて作動し、ステップモータの作動を停止させるためのリセットレバーとを備える構成とした。このアナログ時計機構モジュールでは、ステップモータが、ステータと、コイルブロックと、ロータとを含み、ステップモータを作動させるステップモータ駆動信号を入力するための２つの入力パターンと、リセットレバーの作動に基づいて、ステップモータの作動をリセットさせるリセット信号を出力するためのリセットパターンとを有するリード基板がコイルブロックに取付けられている。前記２つの入力パターンは、コイルブロックのコイルワイヤの両端部にそれぞれ配線されており、前記リセットパターンは、リセットレバーが作動したときにリセットレバーと導通するように構成されている。本発明の複合表示式電子時計では、アナログ表示部分は輪列の回転に基づいて時刻をアナログ式で表示するように構成されている。また、本発明の複合表示式電子時計では、複合表示式電子時計のデジタル表示部分は、時刻及び又は時間に関する情報をデジタル式で表示するための液晶パネルを含む。この複合表示式電子時計は、時刻及び又は時間に関する情報を計数する時刻情報計数手段と、この時刻情報計数回路が計数した計数結果に基づいてアナログ表示部分及びデジタル表示部分を動作させるための駆動手段を含む回路ブロックとを備え、アナログ表示部分とデジタル表示部分が重ならないように構成されている。
【００１１】
本発明の複合表示式電子時計は、アナログ表示部分の中心を通る垂直軸線と、デジタル表示部分の中心を通る垂直軸線が整列した状態で、アナログ表示部分とデジタル表示部分が縦方向に並んで配置されているのが好ましい。
この構成により、アナログ表示部分の表示内容が見やすく、しかも、デジタル表示部分の表示内容も見やすい。
本発明の複合表示式電子時計では、アナログ時計機構モジュール及び液晶パネルはパネル枠に取付けられているのが好ましい。
また、本発明の複合表示式電子時計の回路ブロックは、パネル枠の裏ぶた側に配置されているのが好ましい。
また、本発明の複合表示式電子時計は、回路ブロックの裏ぶた側に配置された電池枠と、この電池枠に組み込まれた電池を備えているのが好ましい。
【００１２】
この構成により、複合表示式電子時計の部品の形状を簡潔にすることができる。また、それらの部品の製造工程は短く、時計の組立が簡単である。また、本発明の複合表示式電子時計は、液晶パネルの裏ぶた側に配置されたＥＬパネルを備えているのが好ましい。この構成により、効果的に液晶パネルを照明することができる複合表示式電子時計を実現することができる。
【００１３】
更に、本発明の複合表示式電子時計は、回路ブロックに設けられた、スイッチ作動を入力するためのスイッチパターンと導通するように構成された複数のスイッチ端子を有するスイッチばねを備え、このスイッチ端子のうちの１つは、それが作動したときに、他のスイッチ端子のうちのいずれか１つと同じ機能を行うように構成されているのが好ましい。この構成により、１つのムーブメントを用いて、多くの種類のスイッチボタンの配置を実現することができる。
【００１４】
この構成により、アナログ表示部分による表示内容も、デジタル表示部分による表示内容も非常に見やすくすることができる。
【００１５】
【発明の実施の形態】
以下に、本発明の実施の形態を図面に基づいて説明する。
（１）アナログ時計機構モジュールの構造
図１から図３を参照すると、本発明のアナログ時計機構モジュール１００は、モジュールの基板を構成する地板１０２を備える。ステップモータ１０４が地板１０２の裏ぶた側即ち表側に組み込まれる。ステップモータ１０４は、ステータ１０６と、コイルブロック１０８と、ロータ１１０とを含む。コイルブロック１０８は磁心１０８ｃを含む。磁心１０８ｃはパーマロイのような強磁性材で作られ、棒状部分と、棒状部分の両側に設けられた耳状部分とを有する。コイルワイヤ１０８ｗが磁心１０８ｃの棒状部分に巻かれている。ステータ１０６はパーマロイのような強磁性材で作られ、２つの耳状部分と、ステータ穴とを有する。
【００１６】
図３及び図４を参照すると、磁心１０８ｃの一方の耳状部分は、ステータ１０６の一方の耳状部分と接触した状態で、地板１０２に設けられたかしめピン１０２ｇにより、熱かしめにより地板１０２に取付けられている。図３及び図５を参照すると、磁心１０８ｃの他方の耳状部分は、ステータ１０６の他方の耳状部分と接触した状態で、地板１０２に設けられたかしめピン１０２ｈにより、熱かしめにより地板１０２に取付けられている。
【００１７】
図１から図４を参照すると、ステップモータ１０４の作動に基づいて回転する表輪列１１２が地板１０２の表側に組み込まれる。表輪列１１２は、五番車１１４と、四番車１１６と、三番車１１８と、二番車１２０と、日の裏車１２２とを含む。輪列受１２４が表輪列１１２を回転可能に支持する。輪列受１２４は、地板１０２に設けられたかしめピン１０２ａ、１０２ｂ、１０２ｃにより、熱かしめにより地板１０２に取付けられている。
ロータ１１０の上ほぞ、五番車１１４の上ほぞ、四番車１１６の上ほぞ、三番車１１８の上ほぞ、日の裏車１２２の上ほぞは輪列受１２４に対して回転可能に支持される。ロータ１１０の下ほぞ、五番車１１４の下ほぞは地板１０２に対して回転可能に支持される。三番車１１８の下ほぞはリセットレバー１４０に対して回転可能に支持される。二番車１２０は地板１０２に対して回転可能に支持される。四番車１１６のそろばん玉は、二番車１２０に対して回転可能に支持される。日の裏車１２２の下軸部は地板１０２に対して回転可能に支持される。
ロータ１１０はロータ磁石１１０ｍと、ロータかな１１０ｐとを有する。五番車１１４は五番歯車１１４ｇと、五番かな１１４ｐとを有する。四番車１１６は四番歯車１１６ｇと、四番かな１１６ｐとを有する。三番車１１８は三番歯車１１８ｇと、三番かな１１８ｐとを有する。二番車１２０は二番歯車１２０ｇと、二番かな１２０ｐとを有する。日の裏車１２２は日の裏歯車１２２ｇと、日の裏かな１２２ｐとを有する。
【００１８】
ロータかな１１０ｐは五番歯車１１４ｇと噛み合う。五番かな１１４ｐは四番歯車１１６ｇと噛み合う。四番かな１１６ｐは三番歯車１１８ｇと噛み合う。三番かな１１８ｐは二番歯車１２０ｇと噛み合う。二番かな１２０ｐは日の裏歯車１２２ｇと噛み合う。日の裏かな１２２ｐは地板１０２のガラス側即ち裏側に配置される。
輪列受１２４には、アナログ時計機構モジュール１００を用いてアナログ時計及び複合表示式電子時計等を製造するときに、回路ブロックを構成する部品を逃げるため、又は、回路ブロックを構成する部品を収容するための回路ブロック用スペース１２４ＳＣと、電池マイナス端子を組み込むための電池マイナス端子用スペース１２４ＳＭとが設けられている。回路ブロック用スペース１２４ＳＣには、例えば、水晶ユニット及び集積回路が収容される。
【００１９】
輪列受１２４は、リード基板１４２のリセットパターンを絶縁するためのリセット絶縁部分１２４ＲＳを有する。
輪列の回転角度を修正するための、即ち、針合わせを行うための切換機構１３０が地板１０２の表側に組み込まれる。切換機構１３０は、軸線ＡＹの方向に移動可能な巻真１３２と、巻真１３２の軸線方向の位置を決めるための巻真位置決め部材１３４と、巻真１３２を引き出した状態において巻真１３２の回転に基づいて回転するつづみ車１３６とを含む。巻真位置決め部材１３４は金属で作られている。つづみ車１３６は、巻真１３２に対して回転可能に組み込まれる。すなわち、つづみ車１３６の中心軸線は巻真１３２の中心軸線と一致するように配置される。つづみ車１３６は、一端につづみ歯車１３６ｇを有する。つづみ歯車１３６ｇは日の裏歯車１２２ｇと噛み合う。
【００２０】
つづみ車１３６をプラスチックで形成するのが好ましい。つづみ車１３６は、巻真１３２が０段目にある状態において、巻真１３２の回転により回転せず、巻真１３２を１段目に引き出した状態において、巻真１３２の回転に基づいて回転するように構成されている。従って、つづみ車１３６は、巻真１３２が０段目にある状態において、巻真１３２に対してすきま嵌めになり、巻真１３２を１段目に引き出した状態において、巻真１３２に対して締まり嵌めになるように構成することができる。
切換機構１３０の作動に基づいて作動し、ステップモータ１０４の作動を停止させるためのリセットレバー１４０が、地板１０２に対して回転可能に組み込まれる。リセットレバー１４０は金属で作られ、巻真位置決め部材１３４と接触するように配置されている。すなわち、リセットレバー１４０は、常に、巻真位置決め部材１３４と電気的に導通している。金属で作られたリセットピン１４４が地板１０２に組み込まれる。リセットレバー１４０はリセットレバーばね部１４０ｓを有する。この構成では、リセットレバー１４０は、常に、図２で見たときに時計まわり方向に回転するように付勢されている。リセットレバー１４０がリセットピン１４４に接触することにより、巻真位置決め部材１３４とリセットピン１４４を電気的に導通させることができる。
【００２１】
巻真１３２が０段目にある状態では、リセットレバーばね部のばね力により、リセットレバー１４０は巻真１３２と接触し、かつ、リセットピン１４４と接触しないように構成されている。巻真１３２が１段目にある状態では、リセットレバーばね部のばね力により、リセットレバー１４０は、巻真１３２から離れ、リセットピン１４４と接触するように構成されている。
巻真１３２が０段目にある状態では、リセットレバー１４０は、三番かな１１８ｐと二番歯車１２０ｇとを噛み合わせる位置にあるように構成されている。巻真１３２が１段目にある状態では、リセットレバー１４０は、三番かな１１８ｐを二番歯車１２０ｇから離す位置にあるように構成されている。
図１、図２、図３、図６を参照すると、リード基板１４２がコイルブロック１０８に取付けられている。図９を参照すると、リード基板１４２は、ステップモータ１０４を作動させるステップモータ駆動信号を入力するための２つの入力パターン１４２ａ、１４２ｂと、リセットピン１４４と接触し、かつ、リセットレバー１４０の作動に基づいて、ステップモータ１０４の作動をリセットさせるためのリセット信号を出力するリセットパターン１４２ｃとを有する。リセットパターン１４２ｃは、基板の基材からはみだしたリセットピン接触部１４２ｔを含む。
【００２２】
リード基板１４２を、ガラスエポキシ基板又はポリイミド基板で構成するのが好ましい。
リード基板１４２をコイルブロック１０８に取付けるための固定用穴１４２Ｈ１と、リード基板１４２をコイルブロック１０８に取付けるときの組立案内穴１４２Ｈ２と、アナログ時計機構モジュール１００を用いてアナログ時計及び複合表示式電子時計等を製造するときに、リード基板１４２を案内するためのリード基板案内穴１４２Ｈ３とがリード基板１４２に設けられている。
図１、図２、図３、図６を参照すると、２つの入力パターン１４２ａ、１４２ｂは、コイルブロック１０８のコイルワイヤ１０８ｗの両端部１０８ｗ１、１０８ｗ２にそれぞれ配線されており、リセットパターン１４２ｃは、リセットレバー１４０が作動したときにリセットピン１４４を介してリセットレバー１４０と導通するように配置されている。
【００２３】
地板１０２及び輪列受１２４はプラスチックで構成されている。このプラスチックは、ポリカーボネート、ポリアセタール、ポリサルフォンであるのが好ましい。
図７を参照すると、筒車１５０が地板１０２のガラス側即ち裏側に回転可能に組み込まれる。この構造では、筒車１５０は裏輪列である。筒車押さえ１５２が、筒車１５０を地板１０２に対して回転可能に支持するために設けられる。筒車押さえ１５２は、３本のかしめピン１０２ｄ、１０２ｅ、１０２ｆを用いて、熱かしめにより地板１０２に取付けられている。筒車１５０の筒車歯車部分１５０ｇは日の裏かな１２２ｐと噛み合う。
本発明においては、輪列の構成は上述したような形状及び配置に限定されることはない。変形例として、裏輪列が筒車及び日の裏車を含んでもよいし、或いは、表輪列が筒車を含んでもよい。本発明においては、表輪列及び裏輪列は、輪列を構成する全ての部品が、地板１０２に対して回転可能に支持されている。
【００２４】
変形例として、切換機構は、おしどり、かんぬき、かんぬき押さえ（図示せず）を含むように構成してもよい。この構成では、巻真１３２が０段目にある状態では、つづみ車１３６は日の裏車１２２と噛み合わず、巻真１３２が１段目にある状態では、つづみ車１３６は日の裏車１２２と噛み合うように構成される。更に、この構成では、二番車１２０にスリップ機構が設けられる。スリップ機構は、例えば、筒かなにより構成される。更に、この構成では、巻真１３２が１段目にある状態で、ロータ１１０、五番車１１４、四番車１１６、三番車１１３のいずれかを規正するための規正レバー（図示せず）を備えるのが好ましい。規正レバーを設けることにより、巻真１３２が１段目にある状態で巻真１３２を回転させたときに、つづみ車１３６、日の裏車１２２、二番かな１２０ｐ、筒車１５０は回転して、ロータ１１０、五番車１１４、四番車１１６、三番車１１３は回転しないように構成することができる。
【００２５】
図８を参照すると、巻真１３２を組み込むための巻真穴１０２ＨＳが地板１０２に設けられている。地板１０２には、つづみ車１３６を収容するためのつづみ車用スペース１０２ＳＴと、表輪列１１２を収容するための表輪列用スペース１０２ＳＧと、切換機構１３０を収容するための切換機構用スペース１０２ＳＨと、ステップモータ１０４を収容するためのステップモータ用スペース１０２ＳＣとが設けられている。
更に、地板１０２には、アナログ時計機構モジュール１００を用いてアナログ時計及び複合表示式電子時計等を製造するときに、電池の一部分を収容するための電池用スペース１０２ＳＢと、電池マイナス端子を組み込むための電池マイナス端子用スペース１０２ＳＭとが設けられている。電池用スペース１０２ＳＢは、電池の全体を収容することができる大きさでなく、電池の一部分を収容することができる大きさになるように形成されている。
熱かしめ用ピン１０２ａ、１０２ｂ、１０２ｃ、１０２ｇ、１０２ｈが地板１０２に形成されている。
更に、地板１０２には、アナログ時計機構モジュール１００を用いてアナログ時計及び複合表示式電子時計等を製造するときに、アナログ時計機構モジュール１００を取付けるためのモジュール固定用穴１０２Ｈ１及び１０２Ｈ２と、アナログ時計機構モジュール１００を案内するためのモジュール組立案内穴１０２Ｈ３とが設けられている。
【００２６】
（２）アナログ時計機構モジュールの作用
次に、本発明のアナログ時計機構モジュールの作用について説明する。
図１から図４を参照すると、ステップモータ１０４を作動させるステップモータ駆動信号をリード基板１４２の入力パターン１４２ａ、１４２ｂに入力させると、ステップモータ１０４が作動する。すなわち、ステップモータ駆動信号によりロータ１１０が回転し、ロータ１１０が回転することにより五番車１１４が回転する。四番車１１６は、五番車１１４の回転に基づいて、１分間に１回転する。三番車１１８は、四番車１１６の回転に基づいて回転する。二番車１２０は、三番車１１８の回転に基づいて、１時間に１回転する。日の裏車１２２は、二番車１２０の回転に基づいて回転する。筒車１５０は、日の裏車１２２の回転に基づいて、１２時間に１回転する。この構成により、四番車１１６に取付けられた秒針３７０により「秒」を表示し、二番車１２０に取付けられた分針３７２により「分」を表示し、筒車１５０に取付けられた時針３７４により「時」を表示することができる。文字板３６６は、アナログ時計機構モジュール１００のガラス側に取付けられる。すなわち、文字板３６６は、地板１０２のガラス側に配置される。
【００２７】
巻真１３２が０段目にある状態では、リセットレバー１４０は、三番かな１１８ｐと二番歯車１２０ｇとを噛み合わせる位置にあるように構成されている。従って、この状態では、二番車１２０は、三番車１１８の回転に基づいて回転することができる。巻真が０段目にある状態では、巻真１３２が回転しても、つづみ車１３６は回転しない。
時針及び分針の針合わせを行うときは、巻真１３２を１段目に引き出す。これにより、図２を参照すると、リセットレバー１４０は、リセットレバーピン１４０ｃを中心として、時計回り方向に回転して、三番かな１１８ｐは二番歯車１２０ｇから離れる。また、巻真１３２を１段目に引き出すと、リセットレバー１４０は、巻真１３２から離れ、リセットピン１４４と接触する。リセットレバー１４０を電池の陽極と導通させるように構成することにより、リセットレバー１４０をリセットピン１４４と接触させて、ステップモータ１０４の作動をリセットさせるためのリセット信号をリセットパターン１４２ｃに出力することができる。
【００２８】
巻真１３２を１段目に引き出した状態で、巻真１３２を回転させると、つづみ車１３６は、巻真１３２の回転に基づいて回転し、日の裏車１２２はつづみ車１３６の回転に基づいて回転する。日の裏車１２２が回転することにより、二番車１２０及び筒車１５０を回転させることができる。従って、巻真１３２を１段目に引き出した状態で巻真１３２を回転させることにより、時針及び分針を回転させて時刻修正即ち針合わせを行うことができる。
図３を参照すると、巻真１３２を１段目に引き出した状態では、リセットレバー１４０が回転して、三番かな１１８ｐを二番歯車１２０ｇから離れさせる。これにより、三番かな１１８ｐは図３の想像線で示す位置に移動し、三番かな１１８ｐは二番歯車１２０ｇと噛み合わない状態になる。従って、この状態で、巻真１３２を回転させても、三番車１１８、四番車１１６、五番車１１４、ロータ１１０は回転しない。
【００２９】
更に、図２を参照すると、巻真１３２を０段目に押し戻すと、巻真１３２がリセットレバー１４０に接触して、リセットレバーピン１４０ｃを中心として、リセットレバー１４０を反時計回り方向に回転させる。これにより、リセットレバー１４０はリセットピン１４４から離れる。その結果、ステップモータ駆動信号をリード基板１４２の入力パターン１４２ａ、１４２ｂに入力させることにより、再びステップモータ１０４を作動させることができる。
また、巻真１３２を０段目に押し戻すことにより、リセットレバー１４０が、図２で見て反時計回り方向に回転する。すると、三番かな１１８ｐは、図４に実線で示すように、再び二番歯車１２０ｇと噛み合う。従って、この状態では、ステップモータ１０４を作動させることにより、ロータ１１０、五番車１１４、四番車１１６、三番車１１８、二番車１２０、日の裏車１２２、筒車１５０を回転させることができる。
【００３０】
（３）複合表示式電子時計の構造
本発明は複合表示式電子時計に関するものであり、特に、上述したアナログ時計機構モジュールを用いた複合表示式電子時計に関する。以下に、本発明の複合表示式電子時計の実施の形態の構造について説明する。
図１０を参照すると、複合表示式電子時計のムーブメント５００は、アナログ表示部分５０２と、デジタル表示部分５０４と有する。アナログ表示部分５０２はアナログ時計機構モジュール１００を含む。アナログ時計機構モジュール１００は、上述したように、ステップモータと、このステップモータの作動に基づいて回転する輪列と、この輪列の回転角度を修正するための切換機構とを含む。アナログ表示部分５０２は、アナログ時計機構モジュールの輪列の回転に基づいて時刻をアナログ式で表示するように構成されている。デジタル表示部分５０４は液晶パネル５１０を含み、この液晶パネル５１０により、時刻及び又は時間に関する情報をデジタル式で表示するように構成されている。
複合表示式電子時計のムーブメント５００はパネル枠５１２を備える。パネル枠５１２は、ムーブメント５００の「ガラス側」に配置されている。
【００３１】
アナログ時計機構モジュール１００と、液晶パネル５１０はパネル枠５１２に取付けられている。パネル枠５１２に設けられた液晶パネル押さえばね部分５１２ａにより、液晶パネル５１０はパネル枠５１２に支持される。文字板の足を挿入するための文字板足穴５１２Ｈ１、５１２Ｈ２がパネル枠５１２の「ガラス側」に設けられている。
アナログ表示部分５０２の中心を通る垂直軸線ＡＶと、デジタル表示部分５０４の中心を通る垂直軸線ＤＶを一致させた状態で、アナログ表示部分５０２とデジタル表示部分５０４は縦方向に並んで配置されている。すなわち、ＤＶとＡＶは一致しており、ＤＨとＡＨは平行になるように配置されている。そして、アナログ表示部分５０２とデジタル表示部分５０４は重ならないように構成されている。
【００３２】
アナログ時計機構モジュール１００の巻真１３２は、その中心軸線がＡＨと一致するように配置される。巻真１３２は、アナログ表示部分５０２の「９時方向」に延びている。
複合表示式電子時計のムーブメント５００は、電池枠５２０と、回路ブロック５３０と、スイッチばね５４０と、電池５４２、５４４と、電池押さえ５５０とを備える。２個の電池をもったムーブメント５００を図１１に示すが、電池の数は１個であってもよいし、２個以上であってもよい。
電池枠５２０は、ムーブメント５００において、パネル枠５１２より「裏ぶた側」に配置されている。複数の基準ピン５２０Ｐ１と、四番車受けピン５２０Ｐ４とが電池枠５２０の「裏ぶた側」に設けられる。
【００３３】
回路ブロック５３０は、パネル枠５１２より「裏ぶた側」に配置されている。回路ブロック５３０は、回路基板と、集積回路と、電気素子等を含む。
電池５４２、５４４は、電池枠５２０に組み込まれている。電池５４２、５４４は、液晶パネル５１０及びＥＬパネルの「裏ぶた側」に配置されている。
電池押さえ５５０が、電池５４２、５４４のそれぞれの陽極に接触して、電池枠５２０に組み込まれている。電池押さえ５５０は、取付け用フック部分５５０Ｈ１、５５０Ｈ２を有する。取付け用フック部分５５０Ｈ１、５５０Ｈ２をパネル枠５１２のフック受け部分に取付けることにより、電池押さえ５５０をパネル枠５１２に対して固定する。
図１１、図１２、図１４、図１５を参照すると、スイッチばね５４０は、取付け用フック部分５４０Ｈ１、５４０Ｈ２、５４０Ｈ３、５４０Ｈ４を有する。取付け用フック部分５４０Ｈ１〜Ｈ４をパネル枠５１２のフック受け部分に取付けることにより、スイッチばね５４０をパネル枠５１２に対して固定する。その結果、電池枠５２０及び回路ブロック５３０もパネル枠５１２に対して固定される。
【００３４】
図１１、図１３、図１５を参照すると、スイッチばね５４０は、スイッチ端子５４０Ｓ１、５４０Ｓ２、５４０Ｓ３、５４０Ｓ４、５４０Ｓ５を有する。スイッチ端子５４０Ｓ１〜Ｓ５が押されるとき、スイッチ端子５４０Ｓ１〜Ｓ５は、回路ブロック５３０に設けられた、それぞれのスイッチ端子５４０Ｓ１〜Ｓ５に対応するスイッチパターンと導通するように構成されている。
スイッチばね５４０は、電池５４２の陽極に接触するための電池プラス端子部分５４０Ｂ１と、電池５４４の陽極に接触するための電池プラス端子部分５４０Ｂ２とを有する。
スイッチばね５４０は、アナログ時計機構モジュール１００の巻真位置決め部材１３４に接触するためのプラス導通部分５４０Ｍ１を有する。この構成により、巻真位置決め部材１３４及びリセットレバー１４０は、電池５４２、５４４の陽極に導通される。
【００３５】
スイッチばね５４０は、アナログ時計機構モジュール１００のリード基板１４２のリセットパターン付近をリセットピン１４４に押し付けるためのリセット押しばね部分５４０Ｒ１を有する。このときに、リセット押しばね部分５４０Ｒ１とリセットピン１４４及びリセットパターンとの間に絶縁性のある部材、即ち、輪列受１２４のリセット絶縁部分１２４ＲＳを介在させることにより、リセット押しばね部分５４０Ｒ１がリセットピン１４４及びリセットパターンに導通しないように構成する。
スイッチばね５４０は裏ぶたと接触してアースをとるためのアースばね部分５４０Ａ１、５４０Ａ２、５４０Ａ３と、回路ブロックと導通するための回路ブロック導通ばね部分５４０Ｃ１とを有する。
【００３６】
回路ブロック５３０のブザー駆動手段が出力するブザー駆動信号を、裏ぶたの内面に固着した圧電素子（図示せず）に伝達するためのブザーリード端子５５２が、回路ブロック５３０から裏ぶたに向かって配置されている。ブザーリード端子５５２は、コイルばねにより構成される。
図１２から図１５を参照すると、複合表示式電子時計のムーブメント５００には、文字板３６６、時針３７４、分針３７２、秒針３７０が取付けられる。
図１６を参照すると、液晶パネル５１０は、パネル枠５１２の「ガラス側」に近い方の部分に配置される。液晶パネル５１０は、「ガラス側」から表示内容が読めるように位置決めされている。ＥＬ（エレクトロ・ルミネッセンス）パネル５６０が液晶パネル５１０の「裏ぶた側」に配置される。ＥＬパネル５６０は、液晶パネル５１０を「裏ぶた側」から照明するために、液晶パネル５１０に近接して位置決めされている。
【００３７】
アナログ時計機構モジュール１００は、パネル枠５１２の「ガラス側」に近い方の部分に配置される。
図１９及び図２０を参照すると、パネル枠５１２は、ポリカーボネート、ポリアセタール、ポリサルフォンなどのプラスチックで作られる。パネル枠５１２は、液晶パネルを収容するためのパネル収容部分５１２Ｓ１と、アナログ時計機構モジュールを収容するためのモジュール収容部分５１２Ｓ２とを有する。液晶パネル５１０及びＥＬパネル５６０はパネル収容部分５１２Ｓ１に収容され、アナログ時計機構モジュール１００はモジュール収容部分５１２Ｓ２に収容される。２本の基準ピン５１２Ｐ１と、アナログ時計機構モジュール１００のリード基板１４２を案内するためのリード基板案内ピン５１２Ｐ５と、２つの文字板足穴５１２Ｈ１とがパネル枠５１２に設けられる。
【００３８】
パネル枠５１２は、コネクタを受け入れるための２つのコネクタ受入れ部分５１２Ｃ１と、ＥＬ導通端子を案内するための２つのＥＬ導通端子案内穴５１２Ｅ１とを有する。パネル枠５１２は、「ガラス側」に、液晶パネル５１０を押さえるためのパネル押さえばね部分５１２Ｂ１を有する。この構成により、液晶パネル５１０はパネル押さえばね部分５１２Ｂ１により弾性的に支持される。
図１６を参照すると、アナログ時計機構モジュール１００は、その外周の一部分が、アナログ時計機構モジュール１００を受け入れるためにパネル枠５１２に形成された受入れ部分に配置されている。
図１６から図１８を参照すると、回路ブロック５３０は、ＥＬパネル５６０及びアナログ時計機構モジュール１００の「裏ぶた側」であって、パネル枠５１２の「裏ぶた側」に配置される。図２１及び図２２を参照すると、回路ブロック５３０は、回路基板５３２と、主集積回路５３４と、ＥＬ駆動用集積回路５３６と、水晶ユニット５３８と、複数のコンデンサ５７０と、ＥＬ駆動用昇圧コイル５７２と、ブザー駆動用昇圧コイル５７４と、ブザー駆動用トランジスタ５７６とを含む。
【００３９】
回路ブロック５３０は、時刻及び又は時間に関する情報を計数する時刻情報計数手段又は時刻情報計数回路と、この時刻情報計数回路が計数した計数結果に基づいてアナログ表示部分を構成するステップモータ１０４を駆動するためのステップモータ駆動手段又はステップモータ駆動回路と、デジタル表示部分を構成する液晶パネル５１０を駆動するための液晶パネル駆動手段又は液晶パネル駆動回路と、ブザーを駆動させるためのブザー駆動手段又はブザー駆動回路とを含む。これらの回路を構成するためのプログラムと、ＲＯＭと、ＲＡＭとが主集積回路５３４に内蔵されている。ＥＬパネルを発光させるためのＥＬ駆動手段又はＥＬ駆動回路は、ＥＬ駆動用集積回路５３６に内蔵されている。これらの手段又は回路は、プログラムを内蔵したＣＰＵを用いてソフトウェアで構成してもよいし、電子部品を用いてハードウェアで構成してもよい。
【００４０】
図１６を参照すると、２つのコネクタ５７８が、回路基板５３２の液晶パネル駆動信号出力用パターンと、液晶パネル５１０の駆動信号入力用パターンとを導通させるために、回路基板５３２と液晶パネル５１０との間に配置される。コネクタ５７８は、パネル枠５１２のコネクタ受入れ部分５１２Ｃ１にそれぞれ受け入れられる。
電池枠５２０は、回路ブロック５３０より「裏ぶた側」であって、パネル枠５１２より「裏ぶた側」に配置される。図２３及び図２４を参照すると、電池枠５２０は、ポリカーボネート、ポリアセタール、ポリサルフォンなどのプラスチックで作られる。電池枠５２０は、２つの基準穴５２０Ｈ１と、電池マイナス端子５８０を固定するための２つの電池マイナス端子固定穴５２０Ｈ２と、ブザーリード端子５５２を案内するためのブザーリード端子案内穴５２０Ｈ３とを有する。電池枠５２０は、電池５４２を収容するための電池収容部分５２０Ｂ１と、電池５４４を収容するための電池収容部分５２０Ｂ２とを有する。
【００４１】
図１６を参照すると、回路ブロック５３０のブザー駆動回路が出力するブザー駆動信号を、裏ぶた３６４の内面に固着した圧電素子３８４に伝達するためのブザーリード端子５５２は、回路ブロック５３０から「裏ぶた側」に向かって配置されている。ブザーリード端子５５２は、回路基板５３２のブザー駆動信号出力用パターンと、圧電素子３８４のブザー駆動信号入力用パターンとを導通させるために設けられる。ブザーリード端子５５２は、コイルばねにより構成され、電池枠５２０のブザーリード端子案内穴５２０Ｈ３を貫通して配置される。
電池５４２、５４４は、回路ブロック５３０より「裏ぶた側」に、電池枠５２０に組み込まれる。電池５４２は電池枠５２０の電池収容部分５２０Ｂ１に収容され、電池５４４は電池枠５２０の電池収容部分５２０Ｂ２に収容される。
【００４２】
図１８を参照すると、電池押さえ５５０の取付け用フック部分５５０Ｈ１、５５０Ｈ２をパネル枠５１２のフック受け部分に取付けることにより、電池押さえ５５０はパネル枠５１２に対して固定されている。
ＥＬ導通端子５９４が、回路基板５３２のＥＬパネル駆動信号出力用パターンとＥＬパネル５６０のＥＬパネル駆動信号入力用パターンとを導通させるために、回路基板５３２とＥＬパネル５６０との間に配置される。ＥＬ導通端子５９４は、コイルばねにより構成され、パネル枠５１２のＥＬ導通端子案内穴５１２Ｅ１を貫通して配置される。
図１６を参照すると、２つのコネクタ５７８が、回路基板５３２の液晶パネル駆動信号出力用パターンと、液晶パネル５１０の駆動信号入力用パターンとを導通させるために、回路基板５３２と液晶パネル５１０との間に配置される。コネクタ５７８は、パネル枠５１２のコネクタ受入れ部分５１２Ｃ１にそれぞれ受け入れられる。
【００４３】
図２５を参照すると、スイッチばね５４０は、りん青銅、ステンレス鋼のような弾性変形可能な金属で作られる。スイッチばね５４０は、スイッチばねをパネル枠に対して固定するための取付け用フック部分５４０Ｈ１、５４０Ｈ２、５４０Ｈ３、５４０Ｈ４と、弾性変形して回路ブロックのスイッチパターンと導通するようになっているスイッチ端子５４０Ｓ１、５４０Ｓ２、５４０Ｓ３、５４０Ｓ４、５４０Ｓ５と、電池５４２の陽極に接触するための電池プラス端子部分５４０Ｂ１と、電池５４４の陽極に接触するための電池プラス端子部分５４０Ｂ２とを有する。
更に、スイッチばね５４０は、アナログ時計機構モジュール１００の巻真位置決め部材１３４に接触するためのプラス導通部分５４０Ｍ１と、アナログ時計機構モジュール１００のリード基板４３６のリセットパターン付近をリセットピン１４４に押し付けるためのリセット押しばね部分５４０Ｒ１と、裏ぶた３６４と接触してアースをとるためのアースばね部分５４０Ａ１、５４０Ａ２、５４０Ａ３と、回路基板５３２のＶＤＤパターン（電池の陽極に導通するパターン）と導通するための回路ブロック導通ばね部分５４０Ｃ１とを有する。
【００４４】
更に、スイッチばね５４０は、２つの基準穴５４０Ｈ７を有する。
図１６を参照すると、スイッチばね５４０の一部分は、電池５４２、５４４の「裏ぶた側」に位置する。電池押さえ５５０は、電池５４２、５４４を「裏ぶた側」から電池枠５２０に対して支持する。電池マイナス端子５８０が電池５４２、５４４に接触して、回路基板５３２のＶＳＳパターン（電池の陰極に導通するパターン）と導通するように、電池５４２、５４４と回路基板５３２との間に配置される。
文字板３６６は、液晶パネル５１０及びアナログ時計機構モジュール１００の「ガラス側」に、パネル枠５１２に接触して配置される。文字板３６６の足（図示せず）が、パネル枠５１２の文字板足穴５１２Ｈ１に挿入される。
【００４５】
図１７を参照すると、スイッチばね５４０の取付け用フック部分５４０Ｈ１〜Ｈ４をパネル枠５１２のフック受け部分に取付けることにより、スイッチばね５４０をパネル枠５１２に対して固定する。その結果、電池枠５２０及び回路ブロック５３０もパネル枠５１２に対して固定される。スイッチばね５４０の回路ブロック導通ばね部分５４０Ｃ１は、回路基板５３２のＶＤＤパターンに接触している。スイッチばね５４０のプラス導通部分５４０Ｍ１は、アナログ時計機構モジュール１００の巻真位置決め部材１３４に接触する。これにより、巻真位置決め部材１３４は、電池の陽極に導通するようになる。
スイッチばね５４０のリセット押しばね部分５４０Ｒ１は、アナログ時計機構モジュール１００の輪列受１２４のリセットン絶縁部分１２４ＲＳを「ガラス側」に押し付ける。これにより、アナログ時計機構モジュール１００のリード基板４３６のリセットパターン付近をリセットピン１４４に押し付けることができる。スイッチばね５４０のリセット押しばね部分５４０Ｒ１とリセットピン１４４及びリセットパターンとの間に絶縁性のある部材、即ち、輪列受１２４のリセット絶縁部分１２４ＲＳを介在させることにより、スイッチばね５４０のリセット押しばね部分５４０Ｒ１がリセットピン１４４及びリセットパターンに導通しないように構成することができる。
【００４６】
アナログ時計機構モジュール１００のリード基板１４２のリード基板案内穴１４２Ｈ３をパネル枠５１２のリード基板案内ピン５１２Ｐ５にはめ、リード基板１４２をパネル枠５１２に接触させ、リード基板１４２の上に信号伝達用基板３４０を配置し、信号伝達用基板３４０の上に回路基板５３２を配置し、回路基板５３２の上に電池枠５２０を配置し、電池枠５２０の上にスイッチばね３２２を配置した状態で、スイッチばね止めねじ５９０が、リード基板案内ピン５１２Ｐ５の雌ねじ部分にねじ締めされる。
信号伝達用基板３４０は、両面にパターンを有する基板で構成され、信号伝達用基板３４０の両面に設けられたパターンは、スルーホールめっきにより導通されている。信号伝達用基板３４０の両面に設けられたパターンにより、アナログ時計機構モジュール１００のリード基板１４２の第１の入力パターン１４２ａを回路基板５３２の第１のステップモータ駆動信号出力パターンに導通させ、リード基板１４２の第２の入力パターン１４２ａを回路基板５３２の第２のステップモータ駆動信号出力パターンに導通させ、リード基板１４２のリセットパターン１４２ｃを回路基板５３２のリセット信号入力パターンに導通させるように構成されている。
【００４７】
ムーブメント５００を製造するときは、パネル枠５１２を準備し、ＥＬパネル５６０をパネル枠５１２の裏ぶた側からパネル枠５１２に組み、液晶パネル５１０をパネル枠５１２の裏ぶた側からパネル枠５１２に組む。次に、２つのコネクタ５７８を液晶パネル５１０に接触させて、パネル枠５１２のコネクタ受入れ部分５１２Ｃ１に挿入する。
次に、アナログ時計機構モジュール１００をパネル枠５１２の裏ぶた側からパネル枠５１２に組む。アナログ時計機構モジュール１００をパネル枠５１２に組む工程は、ＥＬパネル５６０をパネル枠５１２に組む工程より前に行ってもよいし、ＥＬパネル５６０をパネル枠５１２に組んだ後で、液晶パネル５１０をパネル枠５１２に組む工程より前に行ってもよい。
【００４８】
次に、ＥＬ導通端子５９４をＥＬパネル５６０と接触させて配置し、回路ブロック５３０をパネル枠５１２の裏ぶた側に配置する。次に、ブザーリード端子５５２を、回路ブロック５３０から裏ぶたに向かって配置する。次に、電池マイナス端子５８０を電池枠５２０に組み、この電池枠５２０を回路ブロック５３０の裏ぶた側に配置する。次に、スイッチばね５４０を回路ブロック５３０の裏ぶた側に組む。スイッチばね５４０の取付け用フック部分５４０Ｈ１〜Ｈ４をパネル枠５１２のフック受け部分に取付けることにより、スイッチばね５４０をパネル枠５１２に対して固定する。電池５４２、５４４を電池枠５２０に組み、電池５４２、５４４を保持するために、電池押さえ５５０を電池枠５２０に組む。電池押さえ５５０の取付け用フック部分５５０Ｈ１、５５０Ｈ２をパネル枠５１２のフック受け部分に取付けることにより、電池押さえ５５０をパネル枠５１２に対して固定する。
【００４９】
（４）本発明の複合表示式電子時計のコンプリートの第１の実施の形態の作動
次に、本発明の複合表示式電子時計のコンプリートの第１の実施の形態の構成と作動について説明する。
図２６を参照すると、本発明の複合表示式電子時計のコンプリート６００は、外装ケースを構成する胴６０２と、りゅうず６０４と、第１スイッチボタン６１０と、第２スイッチボタン６１２と、第３スイッチボタン６１４と、第４スイッチボタン６１６とを備える。コンプリート６００は、アナログ表示部分５０２と、デジタル表示部分５０４とを含む。アナログ表示部分５０２は、文字板３６６と、秒針３７０と、分針３７２と、時針３７４とを含む。アナログ表示部分５０２は、時針３７４、分針３７２、秒針３７０により、時刻に関する情報を表示するように構成されている。デジタル表示部分５０４は液晶パネル５１０を含む。デジタル表示部分５０４は、液晶パネル５１０により、時刻及び又は時間に関する情報を表示するように構成されている。
【００５０】
本発明の複合表示式電子時計のコンプリート６００は、縦長の形態を有するように構成されている。デジタル表示部分５０４は、アナログ表示部分５０２と縦方向に整列して配置され、アナログ表示部分５０２の「１２時方向」に配置されている。そして、このコンプリート６００では、アナログ表示部分５０２の中心を通る垂直軸線ＡＶと、デジタル表示部分５０４の中心を通る垂直軸線ＤＶが整列した状態で、アナログ表示部分５０２とデジタル表示部分５０４が縦方向に並んで配置されており、デジタル表示部分５０４の垂直軸線ＤＶに沿う方向の見切り長さが、アナログ表示部分５０２の垂直軸線ＡＶに沿う方向の見切り長さの０．５倍から１．５倍の範囲内にあることを特徴とする。
図２６に示すコンプリート６００では、アナログ表示部分５０２により表示している領域のＡＶに沿う長さと、デジタル表示部分５０４により表示している領域のＤＶに沿う長さはほぼ等しい。本発明では、デジタル表示部分５０４により表示している領域のＤＶに沿う長さは、アナログ表示部分５０２により表示している領域のＡＶに沿う長さの０．５倍から１．５倍の範囲内にあるのが好ましい。
【００５１】
すなわち、本発明の複合表示式電子時計のコンプリート６００においては、アナログ表示部分５０２とデジタル表示部分５０４が縦方向に並んで配置されており、デジタル表示部分５０４の垂直軸線ＤＶに沿う方向の見切り長さが、アナログ表示部分５０２の垂直軸線ＡＶに沿う方向の見切り長さの０．５倍から１．５倍の範囲内にあるのが好ましい。
更に、本発明の複合表示式電子時計のコンプリート６００においては、デジタル表示部分５０４の垂直軸線ＤＶに沿う方向の見切り長さが、アナログ表示部分５０２の垂直軸線ＡＶに沿う方向の見切り長さの０．８倍から１．３倍の範囲内にあるのがなお一層好ましい。
そして、本発明の複合表示式電子時計のコンプリート６００においては、デジタル表示部分５０４の垂直軸線ＤＶに沿う方向の見切り長さが、アナログ表示部分５０２の垂直軸線ＡＶに沿う方向の見切り長さとほぼ等しくなるように形成されるのが特に好ましい。
【００５２】
この構成により、アナログ表示部分５０２による表示内容、すなわち、指針３７０、３７２、３７４と文字板３６６による表示内容を非常に見やすくすることができ、かつ、デジタル表示部分５０４による表示内容、すなわち、液晶パネル５１０による表示内容も非常に見やすくすることができる。
りゅうず６０４は、アナログ表示部分５０２の「９時方向」に配置されている。りゅうず６０４は巻真１３２に取付けられ、巻真１３２の回転に基づいて回転するように構成されている。第１スイッチボタン６１０と、第２スイッチボタン６１２と、第３スイッチボタン６１４と、第４スイッチボタン６１６とは、図２６で見たときに、コンプリート６００の右側側面に設けられている。第１スイッチボタン６１０は、デジタル表示部分５０４の「パネル右方向」で、「パネル上側」の右方に配置されている。第２スイッチボタン６１２は、デジタル表示部分５０４の「パネル右方向」で、「パネル下側」の右方に配置されている。第３スイッチボタン６１４は、コンプリート６００の右側側面のほぼ中央部に設けられている。すなわち、第３スイッチボタン６１４は、アナログ表示部分５０２のほぼ「２時方向」に配置されている。第４スイッチボタン６１６は、アナログ表示部分５０２のほぼ「３時方向」に配置されている。
【００５３】
図２６及び図２７を参照すると、時刻及び又は時間に関する情報を計数するための時刻情報計数手段又は時刻情報計数回路６３０は、電源６２０及び水晶振動子６２２と接続されている。電源６２０は電池５４２、５４４で構成される。電池の数は、２つであってもよいし、１つであってもよいし、３つ以上であってもよい。電源６２０は、銀電池又はリチウム電池であるのが好ましい。水晶振動子６２２は、水晶ユニット５３８に収容されている。時刻情報計数回路６３０は、発振手段又は発振回路と、分周手段又は分周回路とを含む。
ステップモータ駆動手段又はステップモータ駆動回路６３２は、時刻情報計数回路６３０が計数した計数結果に基づいて、ステップモータ１０４を駆動するためのステップモータ駆動信号を出力する。ステップモータ１０４は、ステップモータ駆動回路６３２が出力するステップモータ駆動信号により回転する。輪列６４６は、ステップモータ１０４が回転することにより回転する。指針６４８は、輪列６４６が回転することにより回転する。指針６４８は、秒針３７０と、分針３７２と、時針３７４とを含む。従って、ステップモータ１０４が回転することにより、秒針３７０で「秒」を表示し、分針３７２で「分」を表示し、時針３７４で「時」を表示することができる。
【００５４】
巻真１３２が０段目（巻真を押し込んだ状態）にあるときには、りゅうず６０４を回転させて、巻真１３２を回転させても、輪列６４６は回転しない。この状態では、ステップモータ１０４は回転し、秒針３７０で「秒」を表示し、分針３７２で「分」を表示し、時針３７４で「時」を表示する。
巻真１３２が１段目（巻真を引出した状態）にあるときには、リセットレバー１４０がリセットピン１４４に接触し、ステップモータ駆動回路６３２はリセットされる。従って、この状態では、ステップモータ１０４は回転しない。そして、この状態では、りゅうず６０４を回転させて、巻真１３２を回転させたときに、輪列６４６のうちの一部分が回転して、秒針３７０を回転させることなしに、分針３７２及び時針３７４を回転させることができる。従って、りゅうず６０４を回転させることにより、いわゆる「針合わせ」を行うことができる。
【００５５】
液晶パネル駆動手段又は液晶パネル駆動回路６３４は、時刻情報計数回路６３０が計数した計数結果に基づいて、液晶パネル５１０を駆動するための液晶パネル駆動信号を出力する。液晶パネル５１０は、液晶パネル駆動回路６３４が出力する液晶パネル駆動信号に基づいて、時刻及び又は時間に関する情報を表示する。液晶パネル５１０には、「ＣＨＲＯＮＯ」、「ＲＥＣＡＬＬ」、「ＡＬＡＲＭ」、「ＴＩＭＥＲ」の文字が印刷されている。
例えば、液晶パネル５１０は、現在の「年月日」と、「時分秒」と、「曜日」と、「午前又は午後」とを表示することができる部分を有する。更に、液晶パネル５１０は、クロノグラフの計測結果、タイマーの計測結果、アラームの設定時刻、デュアルタイムモードにおける他の時刻、世界時計モードにおける他の地域の時刻等を表示することができる。
【００５６】
ブザー駆動手段又はブザー駆動回路６３６は、時刻情報計数回路６３０が計数した計数結果に基づいて、ブザーを駆動させるためのブザー駆動信号を出力する。圧電ブザー６４２は、ブザー駆動回路６３６が出力するブザー駆動信号に基づいて、例えば、アラームの設定時刻になったときに、或いは、タイマーの計測が終了したときに、ブザー音を発する。圧電ブザー６４２は、裏ぶた３６４に固着されている圧電素子３８４により構成されている。変形例として、圧電ブザー６４２の代わりに、他のブザー音を発するための要素、例えば、電磁スピーカ等を用いてもよい。
第１スイッチ端子６５０が、第１スイッチボタン６１０を押すことに作動するように構成される。第２スイッチ端子６５２が、第２スイッチボタン６１２を押すことに作動するように構成される。第３スイッチ端子６５４が、第３スイッチボタン６１４を押すことに作動するように構成される。第４スイッチ端子６５６が、第４スイッチボタン６１６を押すことに作動するように構成される。第５スイッチ端子６５８が、スイッチボタンのうちのいずれか１つを押すことに作動するように構成される。例えば、第５スイッチ端子６５８は、第３スイッチボタン６１４を押すことに作動するように構成される。
【００５７】
第１スイッチ端子６５０は、スイッチばね５４０のスイッチ端子５４０Ｓ１に対応する。第２スイッチ端子６５２は、スイッチばね５４０のスイッチ端子５４０Ｓ２に対応する。第３スイッチ端子６５４は、スイッチばね５４０のスイッチ端子５４０Ｓ３に対応する。第４スイッチ端子６５６は、スイッチばね５４０のスイッチ端子５４０Ｓ４に対応する。第５スイッチ端子６５８は、スイッチばね５４０のスイッチ端子５４０Ｓ５に対応する。
スイッチ動作制御手段又はスイッチ動作制御回路６４０が、第１スイッチ端子６５０、第２スイッチ端子６５２、第３スイッチ端子６５４、第４スイッチ端子６５６、第５スイッチ端子６５８の作動に基づいて動作するように構成されている。スイッチ動作制御回路６４０が出力するスイッチ信号に基づいて、時刻情報計数回路６３０の計数内容及び又は時刻情報計数回路６３０の計数結果が変更され、液晶パネル駆動回路６３４が出力する液晶パネル駆動信号が変更される。従って、第１スイッチ端子６５０、第２スイッチ端子６５２、第３スイッチ端子６５４、第４スイッチ端子６５６、第５スイッチ端子６５８の作動に基づいて、液晶パネル５１０の表示内容を変更させることができる。更に、第１スイッチ端子６５０、第２スイッチ端子６５２、第３スイッチ端子６５４、第４スイッチ端子６５６、第５スイッチ端子６５８の作動に基づいて、圧電ブザー６４２がブザー音を発する時刻を変更させることができる。
【００５８】
ＥＬ駆動手段又はＥＬ駆動回路６３８が、スイッチ動作制御回路６４０が出力するＥＬスイッチ信号に基づいて、ＥＬパネル５６０を発光させるためのＥＬ駆動信号を出力する。ＥＬパネル５６０は、ＥＬ駆動回路６３８が出力するＥＬ駆動信号に基づいて発光する。
第１スイッチボタン６１０と、第２スイッチボタン６１２と、第３スイッチボタン６１４と、第４スイッチボタン６１６の操作による作動は、例えば、以下に記載するように構成することができる。
最初に、時刻モードに設定されていると仮定する。
この状態において、第２スイッチボタン６１２を押すことにより、ＥＬパネル５６０は発光する。
【００５９】
この状態において、第３スイッチボタン６１４を２秒間押し続けることにより、時刻・カレンダ修正モードに設定される。この状態では、第１スイッチボタン６１０を押すことにより、修正モードを選択することができる。そして、第２スイッチボタン６１２を押すことにより、時刻・カレンダの「＋セット」を行い、第４スイッチボタン６１６を押すことにより、時刻・カレンダの「−セット」を行うことができる。セットを行った後、第３スイッチボタン６１４を押すことにより、時刻・カレンダの表示をセットした状態でロックすることができる。
第４スイッチボタン６１６を押すことにより、表示モードを変更することができる。第４スイッチボタン６１６を１回押すことにより、ストップウォッチモードに設定され、「ＣＨＲＯＮＯ」を指示する指標が表示される。この状態では、第１スイッチボタン６１０を押すことにより、「スタート」及び「ストップ」の操作を行い、第２スイッチボタン６１２を押すことにより、「ラップ」及び「リセット」の操作を行うことができる。第１スイッチボタン６１０又は第２スイッチボタン６１２を押すことにより、ＥＬパネル５６０は発光する。
【００６０】
第４スイッチボタン６１６を更に１回押すことにより、リコールモードに設定され、「ＲＥＣＡＬＬ」を指示する指標が表示される。この状態では、第２スイッチボタン６１２を押すことにより、次の段階のラップを表示することができる。第２スイッチボタン６１２を押すことにより、ＥＬパネル５６０は発光する。第４スイッチボタン６１６を更に１回押すことにより、タイマーモードに設定される。この状態では、第１スイッチボタン６１０を押すことにより、「ラン」及び「ストップ」の操作を行い、第２スイッチボタン６１２を押すことにより、「リセット」の操作を行うことができる。第１スイッチボタン６１０又は第２スイッチボタン６１２を押すことにより、ＥＬパネル５６０は発光する。
この状態において、第３スイッチボタン６１４を２秒間押し続けることにより、タイマー設定時間修正モードに設定され、「ＴＩＭＥＲ」を指示する指標が表示される。この状態では、第１スイッチボタン６１０を押すことにより、修正モードを選択することができる。そして、第２スイッチボタン６１２を押すことにより、「＋セット」を行い、第４スイッチボタン６１６を押すことにより、「−セット」を行うことができる。セットを行った後、第３スイッチボタン６１４を押すことにより、タイマーの時刻を設定した状態でロックすることができる。
【００６１】
第４スイッチボタン６１６を更に１回押すことにより、アラームモードに設定され、「ＡＬＡＲＭ」を指示する指標が表示される。この状態では、第１スイッチボタン６１０を押すことにより、アラームの「ＯＮ」と「ＯＦＦ」を切り換えることができる。
この状態において、第３スイッチボタン６１４を２秒間押し続けることにより、アラーム設定時間修正モードに設定される。この状態では、第１スイッチボタン６１０を押すことにより、修正モードを選択することができる。そして、第２スイッチボタン６１２を押すことにより、「＋セット」を行い、第４スイッチボタン６１６を押すことにより、「−セット」を行うことができる。セットを行った後、第３スイッチボタン６１４を押すことにより、アラームの時刻を設定した状態でロックすることができる。
第４スイッチボタン６１６を更に１回押すことにより、再び時刻モードに設定される。
【００６２】
（５）本発明の複合表示式電子時計のコンプリートの第２の実施の形態
次に、本発明の複合表示式電子時計のコンプリートの第２の実施の形態について説明する。
図２８を参照すると、本発明の複合表示式電子時計のコンプリート７００は、外装ケースを構成する胴６０２と、りゅうず６０４と、第１スイッチボタン６１０と、第２スイッチボタン６１２と、第４スイッチボタン６１６と、第５スイッチボタン６１８とを備える。コンプリート７００がコンプリート６００と異なる箇所は、コンプリート７００は、第３スイッチボタン６１４の代わりに第５スイッチボタン６１８を備えている点である。
【００６３】
第５スイッチボタン６１８は、図２８で見たときに、コンプリート７００の左側側面に設けられている。第５スイッチボタン６１８は、デジタル表示部分５０４の「パネル左方向」に配置されている。第５スイッチボタン６１８の機能は、コンプリート６００の第３スイッチボタン６１４の機能と同じである。第１スイッチボタン６１０、第２スイッチボタン６１２、第４スイッチボタン６１６の機能は、コンプリート６００におけるそれぞれのボタンの機能と同じである。
コンプリート７００は、アナログ表示部分５０２と、デジタル表示部分５０４とを含む。コンプリート７００におけるアナログ表示部分５０２及びデジタル表示部分５０４の構成は、コンプリート６００と同じである。
コンプリート７００は、コンプリート６００に用いられるムーブメント５００を用いて作ることができる。従って、本発明により、２種類以上の外観を有する複合表示式電子時計を実現することができる。
【００６４】
（６）本発明の複合表示式電子時計のコンプリートの第３の実施の形態
次に、本発明の複合表示式電子時計のコンプリートの第３の実施の形態の構成と作動について説明する。
図２９を参照すると、本発明の複合表示式電子時計のコンプリート７１０は、外装ケースを構成する胴６０２と、りゅうず６０４と、第１スイッチボタン６１０と、第２スイッチボタン６１２と、第３スイッチボタン６１４と、第４スイッチボタン６１６とを備える。コンプリート７１０は、アナログ表示部分５０２と、デジタル表示部分５０４とを含む。コンプリート７１０におけるアナログ表示部分５０２及びデジタル表示部分５０４の構成は、コンプリート６００の構成と同じである。
デジタル表示部分５０４は、アナログ表示部分５０２の「６時方向」に配置されている。
りゅうず６０４は、アナログ表示部分５０２の「３時方向」に配置されている。第１スイッチボタン６１０と、第２スイッチボタン６１２と、第３スイッチボタン６１４と、第４スイッチボタン６１６とは、図２９で見たときに、コンプリート７１０の左側側面に設けられている。第１スイッチボタン６１０は、デジタル表示部分５０４の「パネル左方向」で、「パネル下側」の左方に配置されている。第２スイッチボタン６１２は、デジタル表示部分５０４の「パネル左方向」で、「パネル上側」の左方に配置されている。第３スイッチボタン６１４は、コンプリート７１０の左側側面のほぼ中央部に設けられている。すなわち、第３スイッチボタン６１４は、アナログ表示部分５０２のほぼ「８時方向」に配置されている。第４スイッチボタン６１６は、アナログ表示部分５０２のほぼ「９時方向」に配置されている。
【００６５】
コンプリート７１０における第１スイッチボタン６１０、第２スイッチボタン６１２、第３スイッチボタン６１４、第４スイッチボタン６１６の機能は、コンプリート６００におけるそれぞれのボタンの機能と同じである。
コンプリート７１０は、コンプリート６００に用いられるムーブメント５００を用いて、液晶パネルの表示部分の構造を変えるだけで作ることができる。従って、本発明により、多くの種類の外観を有する複合表示式電子時計を実現することができる。
【００６６】
（７）本発明の複合表示式電子時計のコンプリートの第４の実施の形態
次に、本発明の複合表示式電子時計のコンプリートの第４の実施の形態の構成と作動について説明する。
図３０を参照すると、本発明の複合表示式電子時計のコンプリート７２０は、外装ケースを構成する胴６０２と、りゅうず６０４と、第１スイッチボタン６１０と、第２スイッチボタン６１２と、第３スイッチボタン６１４と、第４スイッチボタン６１６とを備える。コンプリート７２０は、アナログ表示部分５０２と、デジタル表示部分５０４とを含む。アナログ表示部分５０２及びデジタル表示部分５０４の構成は、コンプリート６００と同じである。
デジタル表示部分５０４は、アナログ表示部分５０２の「６時方向」に配置されている。
りゅうず６０４は、アナログ表示部分５０２の「９時方向」に配置されている。第１スイッチボタン６１０と、第２スイッチボタン６１２と、第３スイッチボタン６１４と、第４スイッチボタン６１６とは、図３０で見たときに、コンプリート７２０の右側側面に設けられている。第１スイッチボタン６１０は、アナログ表示部分５０２のほぼ「２時方向」に配置されている。第２スイッチボタン６１２は、アナログ表示部分５０２のほぼ「４時方向」に配置されている。第３スイッチボタン６１４は、コンプリート７２０の右側側面のほぼ中央部に設けられている。すなわち、第３スイッチボタン６１４は、デジタル表示部分５０４の「パネル右方向」で、「パネル上側」の右方に配置されている。第４スイッチボタン６１６は、デジタル表示部分５０４の「パネル右方向」に配置されている。
【００６７】
図３１及び図３２を参照すると、本発明の複合表示式電子時計のコンプリート７２０に用いられるムーブメント７２４は、アナログ表示部分５０２と、デジタル表示部分５０４とを含む。ムーブメント７２４がムーブメント５００と異なる箇所は、ムーブメント７２４においては、デジタル表示部分５０４はアナログ表示部分５０２の「６時方向」に配置されている点である。ムーブメント７２４におけるその他の構成及び作用は、ムーブメント５００の構成及び作用と同様である。
【００６８】
（８）本発明の複合表示式電子時計のコンプリートの第５の実施の形態
次に、本発明の複合表示式電子時計のコンプリートの第５の実施の形態の構成と作動について説明する。
図３３を参照すると、本発明の複合表示式電子時計のコンプリート７３０は、外装ケースを構成する胴６０２と、りゅうず６０４と、第１スイッチボタン６１０と、第２スイッチボタン６１２と、第３スイッチボタン６１４と、第４スイッチボタン６１６とを備える。コンプリート７００は、アナログ表示部分５０２と、デジタル表示部分５０４とを含む。コンプリート７３０におけるアナログ表示部分５０２及びデジタル表示部分５０４の構成は、コンプリート６００のそれらの構成と同じである。デジタル表示部分５０４は、アナログ表示部分５０２の「１２時方向」に配置されている。
りゅうず６０４は、アナログ表示部分５０２の「３時方向」に配置されている。第１スイッチボタン６１０と、第２スイッチボタン６１２と、第３スイッチボタン６１４と、第４スイッチボタン６１６とは、図３３で見たときに、コンプリート７３０の左側側面に設けられている。第１スイッチボタン６１０は、アナログ表示部分５０２のほぼ「９時方向」に配置されている。第２スイッチボタン６１２は、コンプリート７３０の左側側面のほぼ中央部に設けられている。すなわち、第２スイッチボタン６１２は、アナログ表示部分５０２のほぼ「１０時方向」に配置されている。第３スイッチボタン６１４は、デジタル表示部分５０４の「パネル左方向」に配置されている。第４スイッチボタン６１６は、デジタル表示部分５０４の「パネル左方向」で、「パネル上側」の左方に配置されている。
【００６９】
コンプリート７３０における第１スイッチボタン６１０、第２スイッチボタン６１２、第３スイッチボタン６１４、第４スイッチボタン６１６の機能は、コンプリート６００におけるそれぞれのボタンの機能と同じである。
コンプリート７３０は、コンプリート７２０に用いられるムーブメント７２４を用いて、液晶パネルの表示部分の構造を変えるだけで作ることができる。従って、本発明により、多くの種類の外観を有する複合表示式電子時計を実現することができる。
【００７０】
【発明の効果】
本発明は、以上説明したように、複合表示式電子時計において、上記のような構成としたので、以下に記載する効果を有する。
（１）本発明の複合表示式電子時計では、アナログ表示部分により表示している表示内容が非常に見やすく、しかも、デジタル表示部分により表示している表示内容も非常に見やすい。
（２）本発明の複合表示式電子時計では、複合表示式電子時計を構成する部品の形状が簡潔であり、時計部品の製造工程が短い。更に、複合表示式電子時計の組立が極めて簡単である。
（３）アナログ表示部分とデジタル表示部分が重ならない構造であるため、複合表示式電子時計の厚さが薄い。
【図面の簡単な説明】
【図１】裏ぶた側から見たときの、アナログ時計機構モジュールを示す平面図である。
【図２】輪列受及び巻真位置決め部材を外した状態で裏ぶた側から見たときの、アナログ時計機構モジュールを示す平面図である。
【図３】アナログ時計機構モジュールの巻真、輪列、転換機を示す概略部分断面図である。
【図４】アナログ時計機構モジュールの地板外周部を示す概略部分断面図である。
【図５】アナログ時計機構モジュールの地板外周部の他の部分を示す概略部分断面図である。
【図６】アナログ時計機構モジュールのリード基板の部分を示す概略部分断面図である。
【図７】ガラス側から見たときの、アナログ時計機構モジュールを示す平面図である。
【図８】ガラス側から見たときの、アナログ時計機構モジュールの地板を示す概略平面図である。
【図９】ガラス側から見たときの、アナログ時計機構モジュールのリード基板を示す概略平面図である。
【図１０】ガラス側から見たときの、本発明の複合表示式電子時計のムーブメントを示す平面図である。
【図１１】裏ぶた側から見たときの、本発明の複合表示式電子時計のムーブメントの実施の形態を示す平面図である。
【図１２】１２時側から見たときの、本発明の複合表示式電子時計のムーブメントの実施の形態を示す概略側面図である。
【図１３】３時側から見たときの、本発明の複合表示式電子時計のムーブメントの実施の形態を示す概略側面図である。
【図１４】６時側から見たときの、本発明の複合表示式電子時計のムーブメントの実施の形態を示す概略側面図である。
【図１５】９時側から見たときの、本発明の複合表示式電子時計のムーブメントの実施の形態を示す概略側面図である。
【図１６】本発明の複合表示式電子時計のムーブメントの実施の形態を示す概略部分断面図（その１）である。
【図１７】本発明の複合表示式電子時計のムーブメントの実施の形態を示す概略部分断面図（その２）である。
【図１８】本発明の複合表示式電子時計のムーブメントの実施の形態を示す概略部分断面図（その３）である。
【図１９】裏ぶた側から見たパネル枠の概略平面図である。
【図２０】ガラス側から見たパネル枠の概略平面図である。
【図２１】裏ぶた側から見た回路ブロックの概略平面図である。
【図２２】ガラス側から見た回路ブロックの概略平面図である。
【図２３】裏ぶた側から見た電池枠の概略平面図である。
【図２４】ガラス側から見た電池枠の概略平面図である。
【図２５】裏ぶた側から見たスイッチばねの概略平面図である。
【図２６】本発明の複合表示式電子時計のコンプリートを示す平面図である。
【図２７】本発明の複合表示式電子時計のブロック図である。
【図２８】本発明の複合表示式電子時計のコンプリートの第２の実施の形態を示す平面図である。
【図２９】本発明の複合表示式電子時計のコンプリートの第３の実施の形態を示す平面図である。
【図３０】本発明の複合表示式電子時計のコンプリートの第４の実施の形態を示す平面図である。
【図３１】ガラス側から見たときの、本発明の複合表示式電子時計のムーブメントの第４の実施の形態を示す平面図である。
【図３２】裏ぶた側から見たときの、本発明の複合表示式電子時計のムーブメントの第４の実施の形態を示す平面図である。
【図３３】本発明の複合表示式電子時計のコンプリートの第５の実施の形態を示す平面図である。
【符号の説明】
１００  アナログ時計機構モジュール
１０２  地板
１０４  ステップモータ
１０６  ステータ
１０８  コイルブロック
１１０  ロータ
１１２  表輪列
１１４  五番車
１１６  四番車
１１８  三番車
１２０  二番車
１２２  日の裏車
１２４  輪列受
１３０  切換機構
１３２  巻真
１３４  巻真位置決め部材
１３６  つづみ車
１４０  リセットレバー
１４２  リード基板
１４４  リセットピン
１４２ａ、１４２ｂ  入力パターン
１４２ｃ  リセットパターン
１５０  筒車
１５２  筒車押さえ
３４０  信号伝達用基板
３６４  裏ぶた
３６６  文字板
３７０  秒針
３７２  分針
３７４  時針
３８４  圧電素子
５００  複合表示式電子時計のムーブメント
５０２  アナログ表示部分
５０４  デジタル表示部分
５１０  液晶パネル
５１２  パネル枠
５２０  電池枠
５３０  回路ブロック
５３２  回路基板
５３４  主集積回路
５３６  ＥＬ駆動用集積回路
５３８  水晶ユニット
５４０  スイッチばね
５４２、５４４  電池
５５０  電池押さえ
５５２  ブザーリード端子
５６０  ＥＬパネル
５７０  コンデンサ
５７２  ＥＬ駆動用昇圧コイル
５７４  ブザー駆動用昇圧コイル
５７６  ブザー駆動用トランジスタ
５７８  コネクタ
５８０  電池マイナス端子
５９０  スイッチばね止めねじ
５９４  ＥＬ導通端子
６００  複合表示式電子時計のコンプリート
６０２  胴
６０４  りゅうず
６１０  第１スイッチボタン
６１２  第２スイッチボタン
６１４  第３スイッチボタン
６１６  第４スイッチボタン
６１８  第５スイッチボタン
６２０  電源
６２２  水晶振動子
６３０  時刻情報計数回路
６３２  ステップモータ駆動回路
６３４  液晶パネル駆動回路
６３６  ブザー駆動回路
６３８  ＥＬ駆動回路
６４０  スイッチ動作制御回路
６４２  圧電ブザー
６４６  輪列
６４８  指針
６５０  第１スイッチ端子
６５２  第２スイッチ端子
６５４  第３スイッチ端子
６５６  第４スイッチ端子
６５８  第５スイッチ端子
７００  複合表示式電子時計のコンプリート
７１０  複合表示式電子時計のコンプリート
７２０  複合表示式電子時計のコンプリート
７２４  ムーブメント
７３０  複合表示式電子時計のコンプリート
【図１】
0003631381.tif 000002
【図２】
0003631381.tif 000003
【図３】
0003631381.tif 000004
【図４】
0003631381.tif 000005
【図５】
0003631381.tif 000006
【図６】
0003631381.tif 000007
【図７】
0003631381.tif 000008
【図８】
0003631381.tif 000009
【図９】
0003631381.tif 000010
【図１０】
0003631381.tif 000011
【図１１】
0003631381.tif 000012
【図１２】
0003631381.tif 000013
【図１３】
0003631381.tif 000014
【図１４】
0003631381.tif 000015
【図１５】
0003631381.tif 000016
【図１６】
0003631381.tif 000017
【図１７】
0003631381.tif 000018
【図１８】
0003631381.tif 000019
【図１９】
0003631381.tif 000020
【図２０】
0003631381.tif 000021
【図２１】
0003631381.tif 000022
【図２２】
0003631381.tif 000023
【図２３】
0003631381.tif 000024
【図２４】
0003631381.tif 000025
【図２５】
0003631381.tif 000026
【図２６】
0003631381.tif 000027
【図２７】
0003631381.tif 000028
【図２８】
0003631381.tif 000029
【図２９】
0003631381.tif 000030
【図３０】
0003631381.tif 000031
【図３１】
0003631381.tif 000032
【図３２】
0003631381.tif 000033
【図３３】
0003631381.tif 000034